(57)【要約】【課題】排紙トレイを一つしか備えない装置であっても、所望とする印刷済み用紙を容易に取り出すことが可能な印刷システム、及び画像形成装置を提供する。【解決手段】印刷処理における各種設定を行うホスト装置と、前記設定に応じて印刷処理を行なう印刷装置と、で構成された印刷システムであって、印刷装置は、別々の排紙位置を備える排紙トレイと、用紙に対して複数のセット位置を備える用紙収容手段と、各セット位置にセットされた用紙毎に、所定の排紙位置に排紙させるよう構成された搬送機構と、指定された排紙位置に応じて各セット位置にセットされた用紙を選択し、選択された用紙が印刷処理された後、搬送機構に該用紙を排紙させる排紙制御手段と、を有する。【選択図】図１
2011184138.tif 000002
【特許請求の範囲】
【請求項１】
印刷処理における各種設定を行うホスト装置と、前記設定に応じて印刷処理を行なう印刷装置と、で構成された印刷システムであって、
前記印刷装置は、
別々の排紙位置を備える排紙トレイと、
用紙に対して複数のセット位置を備える用紙収容手段と、
前記各セット位置にセットされた用紙毎に、所定の排紙位置に排紙させるよう構成された搬送機構と、
指定された排紙位置に応じて前記各セット位置にセットされた用紙を選択し、前記選択された用紙が印刷処理された後、前記搬送機構に該用紙を排紙させる排紙制御手段と、を有することを特徴とする印刷システム。
【請求項２】
前記排紙制御手段は、前記ホスト装置を介して排紙位置の選択を受付けることを特徴とする請求項１に記載の印刷システム。
【請求項３】
前記排紙制御手段は、印刷ジョブ毎に排紙位置を切り替えることを特徴とする請求項１に記載の印刷システム。
【請求項４】
当該画像形成装置は、印刷対象データーを供給する複数の外部装置と接続可能であって、
前記排紙制御手段は、供給された印刷対象データーの供給元の前記外部装置に応じて、排紙位置を切り替えることを特徴とする請求項１に記載の印刷システム。
【請求項５】
前記排紙制御手段は、同一データーを複数枚印刷する場合に、印刷済み用紙の排紙位置を、順次切り替えることを特徴とする請求項１に記載の印刷システム。
【請求項６】
前記排紙トレイにおける各排紙位置上の用紙の有無を検出する検出手段を有し、
前記排紙制御手段は、指定された排紙位置に用紙が排紙されていることを前記検出手段が検出した場合は、他の排紙位置に用紙を排紙させることを特徴とする請求項１〜請求項４のいずれか一項に記載の印刷システム。
【請求項７】
別々の排紙位置を備える排紙トレイと、
用紙に対して複数のセット位置を備える用紙収容手段と、
前記各セット位置にセットされた用紙毎に、所定の排紙位置に排紙させるよう構成された搬送機構と、
指定された排紙位置に応じて前記各セット位置にセットされた用紙を選択し、前記選択された用紙が印刷処理された後、前記搬送機構に該用紙を排紙させる排紙制御手段と、を有することを特徴とする画像形成装置。
【発明の詳細な説明】
【技術分野】
【０００１】
本発明は、印刷済み用紙を排紙する画像形成装置に関し、特に、一つの排紙トレイ上での排紙位置を切り替え可能な印刷システム、及び画像形成装置に関する。
【背景技術】
【０００２】
従来、印刷装置では、画像が形成された印刷済み用紙を排紙するための排紙トレイを備えるものが知られている。この排紙トレイは、装置の排紙口付近に取り付けられ、排紙用紙を受ける座を設けて構成される。
【０００３】
また、排紙用紙が多数となる場合に、排紙口を複数段設けるとともに各排紙口にそれぞれ排紙トレイを設け、排紙用紙の種別毎に排紙先の排紙トレイを切り替える技術が開示されている（例えば、特許文献１参照。）。
【先行技術文献】
【特許文献】
【０００４】
【特許文献１】特開２００６−１５４３４２号公報
【発明の概要】
【発明が解決しようとする課題】
【０００５】
印刷装置の物理的な制約等により排紙トレイを一つしか設けることができない場合、排紙トレイは一つであるため排紙先を分けることができず、印刷済み用紙が同一排紙トレイ上で複数混在する場合があった。この場合、ユーザーは排紙トレイに排出された複数の用紙から所望の用紙を探し出す必要があり、利便性が悪かった。
【０００６】
本発明は上記課題にかんがみてなされたもので、排紙トレイを一つしか備えない装置であっても、所望とする印刷済み用紙を容易に取り出すことが可能な印刷システム、及び画像形成装置の提供を目的とする。
【課題を解決するための手段】
【０００７】
上記課題を解決するために、本発明では、印刷処理における各種設定を行うホスト装置と、前記設定に応じて印刷処理を行なう印刷装置と、で構成された印刷システムであって、前記印刷装置は、別々の排紙位置を備える排紙トレイと、用紙に対して複数のセット位置を備える用紙収容手段と、前記各セット位置にセットされた用紙毎に、所定の排紙位置に排紙させるよう構成された搬送機構と、指定された排紙位置に応じて前記各セット位置にセットされた用紙を選択し、前記選択された用紙が印刷処理された後、前記搬送機構に該用紙を排紙させる排紙制御手段と、を有する構成としてある。
【０００８】
上記のよう構成された発明では、用紙収容手段の個別のセット位置と排紙トレイの排紙位置とは、それぞれ搬送機構により物理的に対応づけられており、排紙制御手段は、排紙用紙の排紙位置が選択されると、この排紙位置に応じた用紙収容手段のセット位置にセットされた用紙を選択し、上記搬送機構に搬送させる。
そのため、排紙トレイの排紙位置を変更して用紙を排紙することができるため、排紙トレイを一つしか備えない場合でも、ユーザーは所望とする印刷済み用紙を容易に取り出すことができる。また、用紙収容手段の各セット位置と排紙トレイの排紙位置とは、物理的に対応づけられているため、簡易な構成により排紙位置の変更を行うことができる。
【０００９】
また、前記排紙制御手段は、前記ホスト装置を介して排紙位置の選択を受付ける構成としてもよいし、前記排紙制御手段は、印刷ジョブ毎に排紙位置を切り替えるえる構成としてもよい。
上記のように構成された発明では、ユーザーが容易に排紙用紙を取り出すことができる。
【００１０】
さらに、当該画像形成装置は、印刷対象データーを供給する複数の外部装置と接続可能であって、前記排紙制御手段は、供給された印刷対象データーの供給元の前記外部装置に応じて、排紙位置を切り替える構成としてもよい。
上記のように構成された発明では、複数の外部装置と接続する印刷システムにおいて、ユーザーは、各外部装置から入力された印刷対象データーが印刷された用紙を用紙に取り出すことができる。
【００１１】
また、前記排紙制御手段は、同一データーを複数枚印刷する場合に、印刷済み用紙の排紙位置を、順次切り替える構成としてもよい。
【００１２】
そして、前記排紙トレイにおける各排紙位置上の用紙の有無を検出する検出手段を有し、前記排紙制御手段は、指定された排紙位置に用紙が排紙されていることを前記検出手段が検出した場合は、他の排紙位置に用紙を排紙させる構成としてもよい。
上記のように構成された発明では、排紙位置に排紙用紙が存在する場合は、この排紙位置を自動で切り替えるため、ユーザーは排紙用紙を容易に取り出すことが可能となる。
【００１３】
そして、本発明はホスト装置と印刷装置とで構成されたホストベース方式の装置に限定されず、印刷装置単体での構成であってもよい。
【図面の簡単な説明】
【００１４】
【図１】第１の実施形態にかかる印刷システム１００のブロック構成図である。
【図２】排紙トレイ上に排紙された用紙を説明するためのイメージ図である。
【図３】本実施形態にかかる給紙カセット６０の構成を説明するための図である。
【図４】ホストＰＣ９０により実行される処理を説明するフローチャートである。
【図５】プリンター７０により実行される処理を説明するフローチャートである。
【図６】ホストＰＣ９０が印刷ジョブデーターを作成する処理を説明するフローチャートである。
【図７】ステップＳ６において表示されるＵＩ画面を説明するための示す図である。
【図８】第２の実施形態にかかる印刷システム１００の構成を示すブロック図である。
【図９】第２の実施形態にかかるホストＰＣ９０により実行される処理を説明するフローチャートである。
【図１０】ステップＳ３２において画面上に表示されるＵＩ画面を示す図である。
【発明を実施するための形態】
【００１５】
以下、下記の順序に従って本発明の実施形態を説明する。
１．第１の実施形態：
２．第２の実施形態：
３．その他の実施形態：
【００１６】
１．第１の実施形態： 
以下、各図を参照しつつ、この発明に係る画像処理装置を具体化した第１の実施の形態について説明する。
【００１７】
（１）印刷システムの構成：
（１−１）印刷システムの概要：
図１は、第１の実施形態にかかる印刷システム１００のブロック構成図である。印刷システム１００は、プリンター７０とホストＰＣ（ホスト装置）９０とがネットワークＮを介して接続して構成され、ホストＰＣ９０内部で生成された印刷ジョブデーターが示すイメージをプリンター７０内部にセットされた用紙に印刷して出力する。ホストＰＣ９０には、プリンター７０における印刷処理及び各種設定を行なうためのドライバープログラム８０を備えており、このドライバープログラム８０を実行することで印刷処理にかかる各種設定（以下、このような設定を印刷設定と記載する。）を実行する。
【００１８】
また、本実施形態では上記した印刷設定により、印刷後の用紙の排紙位置を指定することができる。図２は、排紙トレイ上に排紙された用紙を説明するためのイメージ図である。図２に示すように、プリンター７０は、この印刷設定を通じて印刷済み用紙の排紙位置を排紙トレイ３０の排紙位置３１，３２のいずれかに指定することができる。
【００１９】
(１−２)ホストＰＣ９０の構成：
ホストＰＣ９０は、例えばプリンター７０が接続された一般的な構成のコンピュータであり、ドライバープログラム８０はプリンター７０用に開発された印刷制御用プログラムとして構成される。ホストＰＣ９０は、ドライバープログラム８０を実行することで、印刷ジョブデーターの作成、及びプリンター７０に対して排紙位置を指定するために、設定受付部８１、排紙制御部８２、印刷ジョブ作成部８３の機能を実現する。
【００２０】
設定受付部８１は、ホストＰＣ９０を介して入力された排紙位置選択のための設定を受付ける。本実施形態にかかる印刷システム１００では、印刷設定の種別に応じて、排紙トレイ３０上での用紙の排紙位置が切り替わる。
本実施形態にかかる設定受付部８１は、以下に示す４つの設定を受付ける。
・ユーザーが排紙位置を任意に選択するもの（以下、設定１と記載する。）。
・同一ユーザーが異なるジョブを続けて印刷する際に、ジョブ毎に排紙位置を切り替えるもの（以下、設定２と記載する。）。
・プリンター７０がＦＡＸ機能を備える複合機である場合に、ＦＡＸを受信する場合と、印刷処理を行なう場合とで排紙位置を切り替えるもの（以下、設定３と記載する。）。
・同一データーを複数部印刷する場合に、排紙位置を順次切り替えるもの（以下、設定４と記載する）。
【００２１】
排紙制御部８２は、設定受付部８１により設定された各設定に従って排紙トレイ３０の排紙位置を設定する排紙位置指定コマンドＣｄを作成する。この排紙位置指定コマンドＣｄは、プリンター７０による用紙の排紙位置を設定するものであり、プリンター７０はこの排紙位置指定コマンドＣｄを解析することで用紙の排紙位置を認識する。ここで、本実施形態にかかるプリンター７０は、後述するように給紙カセット６０のセット位置と排紙トレイ３０の排紙位置とが物理的に１対１に対応付けられているため、排紙位置指定コマンドＣｄは給紙カセットの位置を指定するものであってもよい。
【００２２】
印刷ジョブ作成部８３は、ホストＰＣ９０が実装するアプリケーションプログラムにより作成された入力ファイルから印刷ジョブデーターを作成する。この印刷ジョブデーターは、ホストＰＣ９０で実行される文書作成アプリケーションやグラフィックアプリケーションによって作成された入力ファイルをページ記述言語に変換したものであり、プリンター７０に印刷させる画像を描画するための描画コマンドや、プリンター７０を制御するための各種パラメーターから構成されている。また、上記印刷ジョブデーターには、排紙制御部８２により生成された排紙位置指定コマンドＣｄが付与される。
【００２３】
（１−３）プリンター７０の構成：
以下、本実施形態にかかるプリンター７０の要部を説明する。図１において、プリンター７０は、ホストＩ／Ｆ７１と、操作パネル７２と、制御部７３と、搬送機構５０と、給紙カセット（用紙収容手段）６０と、プリンターエンジン４０と、排紙トレイ３０と、を備えて構成されている。
【００２４】
ホストＩ／Ｆ７１は、ＵＳＢやＴＣＰ／ＩＰ等のプロトコルに準じた通信を行うためのハードウェアであり、ホストＰＣ９０から出力された印刷ジョブデーターを取得し当該印刷ジョブデーターを制御部７３に出力する。
【００２５】
操作パネル７２は、ユーザーとプリンター７０（制御部７３）との間のユーザーインタフェースユニットである。この操作パネル７２はユーザーからの操作を受け付ける複数の押しボタンスイッチ、プリンター７０の状態に関する各種のメッセージを表示するためのＬＣＤ（液晶ディスプレイ）等を備えたユニットである。
【００２６】
制御部７３は、ＣＰＵ、メインＡＳＩＣ、ＲＡＭ、ＲＯＭ、を備えて構成され、プリンター７０がホストＰＣ９０から送信された印刷ジョブデーターを印刷処理するための統合的な制御を行う。また、制御部７３はＲＯＭに記憶されたプログラムを用いたＣＰＵの処理、及びメインＡＳＩＣ上のブロックにより、中間データー作成部７４、印刷制御部７５の機能を備える。
【００２７】
中間データー作成部７４は、ホストＰＣ９０が生成した印刷ジョブデーターを解析し、解析結果に基づいてプリンターエンジン４０が印刷処理可能な中間データーを作成する。この中間データーは、Ｃ（シアン）Ｍ（マゼンダ）Ｙ（イエロー）Ｋ（ブラック）各色のラスターデーターにより構成されている。なお、ホストＰＣ９０内部で中間データーを作成する機能を有する場合は、中間データー作成部７４はこの中間データーをＲＡＭ上に展開する機能のみを備えるものでもよい。
【００２８】
印刷制御部７５は、ホストＰＣ９０で生成された印刷ジョブデーターに含まれる各種パラメーター、及び排紙位置指定コマンドＣｄに応じて、搬送機構５０や、プリンターエンジン４０を制御する。本実施形態では、印刷制御部７５は解析した排紙位置指定コマンドＣｄの内容に応じて、給紙カセット６０におけるどの用紙を選択するかを判断するため、本発明にかかる排紙制御手段の機能を実現する。
【００２９】
プリンターエンジン４０は、生成された中間データーをもとに用紙上に文字やグラフィック等のイメージを印刷する機構である。例えば、プリンターエンジン４０が電子写真方式の機構を備える場合は、レーザービームによって、走査を行いながら感光ドラムを適宜照射することにより、ドット毎の画像に対応したトナーを用紙上に付着させて画像を形成する。また、プリンターエンジン４０がインクジェット式の機構を備える場合は、各色の印字ヘッドから噴射されたインクを用紙上に付着させて画像を形成する。
【００３０】
図３は、本実施形態にかかる給紙カセット６０の構成を説明するための図である。図に示すように、給紙カセット６０は所定サイズの用紙を２枚以上並列してセットすることが可能である。一例として、給紙カセット６０は全体としてはＡ２サイズの用紙をセット可能な容量であり（図に示す点線で記載した領域６１）、収容部を間仕切りすることでＡ４サイズの用紙をセット位置６２，６３に隣接させてセットすることができる。さらに、給紙カセット６０のセット位置６２，６３には、用紙の有無を検出するセンサー６４，６５が配置されており、このセンサー６４，６５から出力される検出信号は制御部７３に出力されて用紙の有無が検知される。
【００３１】
排紙トレイ３０は、プリンター７０の排紙口付近に設置されて、排紙された用紙を受ける座を備える。また、図２に示すように、排紙トレイ３０の座は、用紙が排紙される排紙位置３１及び排紙位置３２と、を備えて構成される。
【００３２】
搬送機構５０は、各種ローラーや、このローラー間に掛け合わされたベルト等の機構により構成される。搬送機構５０は給紙カセット６０にセットされた用紙を取り出すピックアップローラーや、取り出された用紙をプリンターエンジン４０に搬送する搬送ローラー、及び印刷処理後の用紙を排紙トレイ３０に排紙する排紙ローラーを備えて構成されている。
【００３３】
また、搬送機構５０は、給紙カセット６０のセット位置６２にセットされた用紙Ａと、セット位置６３にセットされた用紙Ｂとが排紙トレイ３０の別々の排紙位置に排紙されるよう搬送経路が構成されている。即ち、給紙カセット６０のセット位置６２にセットされた用紙Ａが被印刷対象として選択された場合、取り出された用紙Ａはプリンターエンジン４０に描画された後、排紙トレイ３０の排紙位置３１に排紙される。また、セット位置６２にセットされた用紙Ｂが被印刷対象として選択された場合、取り出された用紙Ｂはプリンターエンジン４０に描画された後、排紙トレイ３０の排紙位置３２に排紙される。
【００３４】
（２）印刷処理の流れについて：
図４は、ホストＰＣ９０により実行される処理を説明するフローチャートである。また、図５は、プリンター７０により実行される処理を説明するフローチャートである。以下、図４，図５を参照して本実施形態にかかる印刷システム１００の印刷処理を説明する。なお、この図においては、上記した設定１（ユーザーが排紙位置を任意で選択するもの）を例に説明を行なう。
【００３５】
プリンター７０のメイン電源がオンされた状態で、ステップＳ１において、ホストＰＣ９０は、プリンター７０が給紙カセット６０を備えているか否かを判断する。各設定（１〜４）に対応可能な給紙カセットを備えていない場合は（ステップＳ１：ＮＯ）、以後、ホストＰＣ９０は通常の印刷（モードに応じて用紙を切り替えない印刷）に応じた処理を行なう。
【００３６】
プリンター７０が各設定に対応可能な給紙カセット６０を備えており（ステップＳ１：ＹＥＳ）、且つ、プリンター７０が印刷可能状態の場合（ステップＳ２：ＹＥＳ）、ホストＰＣ９０は、印刷実行命令を受付けると、受付けた印刷実行命令に応じて印刷ジョブデーターを作成する（ステップＳ３）。
【００３７】
図６は、ホストＰＣ９０が印刷ジョブデーターを作成する処理を説明するフローチャートである。ステップＳ１１において、排紙制御部８２は、現在の設定に応じて用紙の排紙位置を指定する。ここでは、設定受付部８１が受付けている設定は「設定１」であるため、排紙制御部８２はホストＰＣ９０を通じて排紙位置３１，３２のいずれかの排紙位置の指定を受付ける。
【００３８】
ステップＳ１２において、排紙制御部８２は受付けた排紙位置に対応した排紙位置指定コマンドＣｄを作成する。そのため、作成された排紙位置指定コマンドＣｄにより用紙の排紙位置３１，３２のいずれかに指定される。
【００３９】
ステップＳ１３において、印刷ジョブ作成部８３はアプリケーションプログラムから出力されたイメージデーター、及びドライバープログラム８０が保持する各種パラメーターをページ記述言語に変換し、印刷ジョブデーターを作成する。このとき、ステップＳ１２により作成された排紙位置指定コマンドＣｄも印刷ジョブデーターの一部として付加される。
【００４０】
図４のステップＳ４に戻り、排紙制御部８２は、排紙位置指定コマンドＣｄにより特定される用紙（即ち、排紙位置指定コマンドＣｄで指定された排紙位置へ排紙する用紙）が給紙カセット６０にセットされている場合（ステップＳ４：ＹＥＳ）、作成された印刷ジョブデーターをプリンター７０に出力する（ステップＳ５）。ここで、プリンター７０の給紙カセット６０には、センサー６４，６５により常時用紙の有無が監視されており、ホストＰＣ９０はプリンター７０の制御部７３から送信される給紙カセット６０の各セット位置の用紙の有無を示す信号によりステップＳ４における用紙の有無を判断する。
【００４１】
図５のステップＳ２１において、プリンター７０の制御部７３では、中間データー作成部７４がホストＰＣ９０から送信された印刷ジョブデーターを解析し、中間データーを作成する。
【００４２】
ステップＳ２２では、印刷制御部７５は、解析された印刷ジョブデーターに付与された排紙位置指定コマンドＣｄにより被印刷対象の用紙を判断する。上記したように、プリンター７０では、排紙トレイ３０の排紙位置と給紙カセット６０のセット位置とは、搬送機構５０を介して物理的に対応づけられているため、印刷制御部７５は、排紙位置指定コマンドＣｄが指定する排紙位置に対応する用紙を選択することができる。そのため、印刷制御部７５は、排紙位置３１が指定された場合は、給紙カセット６０のセット位置６２にセットされた用紙Ａを選択し、排紙位置３２指定された場合は、セット位置６３にセットされた用紙Ｂを選択する。
【００４３】
ステップＳ２３では、印刷制御部７５は、搬送機構５０に、ステップＳ２２にて選択された用紙を給紙カセット６０から取り出させる。搬送機構５０により取り出された用紙はプリンターエンジン４０に搬送され、印刷制御部７５は搬送された用紙に対してプリンターエンジン４０に描画を実行させる（ステップＳ２４）。
【００４４】
その後、ステップＳ２５では、印刷済みの用紙は搬送機構５０により排紙トレイ３０の対応する排紙位置に排紙される。そのため、ホストＰＣ９０により指定された排紙トレイ３０の排紙位置に印刷済み用紙が排紙される。
【００４５】
図４に戻り、ステップＳ４において、指定された排紙位置に対応する用紙がない場合は（ステップＳ４：ＮＯ）、ステップＳ６において、排紙制御部８２はＵＩ画面を表示し、ユーザーに対して排紙位置の変更を促す。
【００４６】
図７は、ステップＳ６において表示されるＵＩ画面を説明するための示す図である。図に示すＵＩ画面では、指定された排紙位置に対応する用紙が給紙カセット６０にセットされていないことを示す文言と、排紙位置を変更するか否かをユーザーに選択させるチェックボックスが表示される。そのため、このチェックボックスの「はい」をチェックした場合（ステップＳ７：ＹＥＳ）、ステップＳ８において指定された排紙位置と異なる排紙位置が設定される。即ち、排紙制御部８２はステップＳ３において生成した排紙位置指示コマンドの値を変更して新たな排紙位置を指定する。
【００４７】
また、表示されたＵＩ画面においてユーザーが「いいえ」をチェックした場合は（ステップＳ７：ＮＯ）、指定した排紙位置に対応する用紙を給紙カセット６０にセットするようＵＩ画面を表示させる（ステップＳ９）。そして、ユーザーが、ステップＳ９で表示されたＵＩ画面で指定する給紙カセット６０のセット位置に用紙をセットすると（ステップＳ１０：ＹＥＳ）、ホストＰＣ９０は印刷ジョブ作成部８３により作成された印刷ジョブデーターをプリンター７０に送信する（ステップＳ５）。以上、設定１における処理を説明した。
【００４８】
（３）設定２について：
設定２にかかる印刷システム１００では、同一ユーザーが異なる印刷ジョブを続けて印刷する際に、プリンター７０は印刷されるジョブ毎に排紙位置を切り替える制御を行う。即ち、図４のステップＳ３において、排紙制御部８２が連続して入力する印刷ジョブに対応する印刷ジョブデーターに順次異なる排紙位置を指定する排紙位置指定コマンドＣｄを付加することで、プリンター７０が印刷する用紙を印刷ジョブ毎に順次切り替えることができる。以上、設定２について説明した。
【００４９】
（４）設定３について：
設定３にかかる印刷システム１００では、プリンター７０がＦＡＸ機能を備える複合機である場合に、ＦＡＸデーターを印刷処理する場合と内部で生成された印刷ジョブデーターを印刷処理する場合とで排紙位置を切り替える制御を行う。即ち、図４のステップＳ３において、排紙制御部８２が入力ファイルの送信元に応じて印刷ジョブデーターに所定の排紙位置を指定する排紙位置指定コマンドＣｄを付加することで、プリンター７０が用紙の排紙位置をＦＡＸデーター又はそれ以外の印刷対象データー毎に順次切り替えることができる。以上、設定３について説明した。
【００５０】
（５）設定４について：
設定４にかかる印刷システム１００では、プリンター７０が同一データーを連続して複数部印刷する場合、それぞれの用紙に対して排紙位置を順次切り替える制御を行う。即ち、図４のステップＳ３において、排紙制御部８２が印刷ジョブを構成するページデーター毎にその排紙位置が順次切り替わる排紙位置指定コマンドＣｄを付加することでプリンター７０が用紙の排紙位置をページ毎に順次切り替えることができる。以上、設定４について説明した。
【００５１】
以上説明したように、印刷システムでは、排紙トレイの排紙位置を変更して用紙を排紙することができるため、排紙トレイを一つしか備えない場合でも、ユーザーは所望とする印刷済み用紙を容易に取り出すことができる。また、給紙カセットのセット位置と排紙トレイの排紙位置とは、物理的に対応づけられているため、簡易な構成により排紙位置の変更を行うことができる。
【００５２】
２．第２の実施形態：
第１の実施形態の構成に加えて、排紙トレイ３０に用紙が排紙されたか否かを判別するセンサーを設定し、このセンサーの出力に合わせて排紙位置を切り替える構成としてもよい。上記構成とすることで、排紙位置に排紙用紙が存在する場合は、この排紙位置を自動で切り替えるため、排紙トレイ３０に排紙された排紙用紙を容易に取り出すことが可能となる。
【００５３】
図８は、第２の実施形態にかかる印刷システム１００の構成を示すブロック図である。第２の実施形態にかかる印刷システムでは、第１の実施形態にかかる印刷システム１００の構成に加えて、排紙トレイ３０の排紙位置３１，３２には、それぞれセンサー３３、３４が配置されている。また、各センサー３３，３４は制御部７３に接続されている。
【００５４】
図９は、第２の実施形態にかかるホストＰＣ９０により実行される処理を説明するフローチャートである。なお、図９に示す処理は、図４におけるステップＳ４（ステップＳ４：ＹＥＳ）とステップＳ５との間に追加される処理であり、ステップＳ３１〜Ｓ３６以外の処理を除いて、図４に示す第１の実施形態にかかる処理と同一であるため、その他のステップにおける処理は省略する。
【００５５】
ステップＳ３１において、センサー３３（３４）から送信された信号により、排紙制御部８２が指定した排紙位置に用紙が残っていることを検出すると（ステップＳ３１：ＹＥＳ）、画面上に排紙位置の変更を促すＵＩ画面を表示させる（ステップＳ３２）。なお、用紙が検知されない場合は、ステップＳ５に進み印刷ジョブデーターを出力する。
【００５６】
図１０は、ステップＳ３２において画面上に表示されるＵＩ画面を示す図である。図１０に示すＵＩ画面では、排紙位置の変更を促す文言と、ユーザーが排紙位置の変更に同意した場合にチェックする「はい」のチェックボックスと、同意しない場合にチェックする「いいえ」のチェックボックスが表示される。そのため、このＵＩ画面上で「はい」のチェックボックスがチェックされた場合は（ステップＳ３３：ＹＥＳ）、ステップＳ４で生成した排紙位置指定コマンドＣｄの値を変更し、排紙位置を変更させる（ステップＳ３４）。
【００５７】
一方、ＵＩ画面上で「いいえ」のチェックボックスがチェックされた場合は（ステップＳ３３：ＮＯ）、画面上に排紙トレイに置かれた用紙を取り除くようＵＩ画面が表示される（ステップＳ３５）。その後、排紙トレイ３０の用紙が取り除かれた場合は（ステップＳ３６：ＹＥＳ）、ステップＳ５において、当初の排紙位置指定コマンドＣｄのまま印刷ジョブデーターがプリンター７０に出力される。以上、第２の実施形態にかかる印刷システム１００を説明した。
【００５８】
３．その他の実施形態：
第１及び第２の実施形態では、ホストＰＣとプリンターにより構成された印刷システムを例に本実施形態の説明を行ったが、プリンター７０内部で用紙の排紙位置を指定する構成としてもよい。
【００５９】
プリンターの構成としては、スキャナーを備える複合機であってもよい。この場合、設定２においては、ＦＡＸ、又はスキャナーから入力された印刷対象データーに基づいて出力された印刷済み用紙に対して、別々の排紙位置を指定するものであってもよい。
給紙カセットのセット位置を２とすることは一例であり、２つ以上のセット位置を備え、セット位置毎に別々の排紙位置が対応するものであってもよい。
【００６０】
なお、本発明は上記実施例に限られるものでないことは言うまでもない。即ち、上記実施例の中で開示した相互に置換可能な部材および構成等を適宜その組み合わせを変更して適用すること、上記実施例の中で開示されていないが、公知技術であって上記実施例の中で開示した部材および構成等と相互に置換可能な部材および構成等を適宜置換し、またその組み合わせを変更して適用すること、上記実施例の中で開示されていないが、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【符号の説明】
【００６１】
３０…排紙トレイ、３３，３４…センサー、４０…プリンターエンジン、５０…搬送機構、６０…給紙カセット、６４，６５…センサー、７０…プリンター、７１…ホストＩ／Ｆ、７２…操作パネル、７３…制御部、７４…中間データー作成部、７５…印刷制御部、８０…ドライバープログラム、８１…設定受付部、８２…排紙制御部、８３…印刷ジョブ作成部、９０…ホストＰＣ、１００…印刷システム
【図１】
2011184138.tif 000003
【図２】
2011184138.tif 000004
【図３】
2011184138.tif 000005
【図４】
2011184138.tif 000006
【図５】
2011184138.tif 000007
【図６】
2011184138.tif 000008
【図７】
2011184138.tif 000009
【図８】
2011184138.tif 000010
【図９】
2011184138.tif 000011
【図１０】
2011184138.tif 000012